(57)【要約】【課題】  ドライバの質を管理することができるようにする。【解決手段】  運送会社Aのドライバは、情報入力システム３１により、ドライバの指紋情報と免許証情報が記憶されたRFタグ４２が貼り付けられている免許証入れ４１に運転免許証５１を入れて携帯している。ドライバが配送業務にデポXにやってくると、管理システム２１は、ドライバの指紋（指紋情報）を検出する。また、管理システム２１は、RFタグ４２に記憶されているドライバの指紋情報を読み取り（受信し）、自身が検出した指紋情報が、RFタグ４２に記憶されているドライバの指紋情報と一致するかどうかを判定する。本発明は、例えば、RFタグとの間で情報を送受信するRFIDシステムに適用できる。【選択図】図１
2005242858.tif 000002
【特許請求の範囲】
【請求項１】
第１と第２の情報処理装置を備える情報処理システムにおいて、
前記第１の情報処理装置は、
ドライバを認識するドライバ認識情報とドライバの運転免許証を識別する運転免許証識別情報とを記憶する第１の記憶手段と、
前記ドライバ認識情報および運転免許証識別情報を、第２の情報処理装置に送信する送信手段と
を有し、
前記第２の情報処理装置は、
前記第１の情報処理装置から、前記ドライバ認識情報および運転免許証識別情報を受信する受信手段と、
前記ドライバを認識するドライバ認識手段と、
前記運転免許証識別情報に対応付けて、前記ドライバ認識情報を記憶する第２の記憶手段と、
前記ドライバ認識手段による認識結果と、前記受信手段により受信された前記ドライバ認識情報とが一致するかどうかを判定する判定手段と
を有する
ことを特徴とする情報処理システム。
【請求項２】
ドライバを認識するドライバ認識情報とドライバの運転免許証を識別する運転免許証識別情報とを記憶する記憶手段と、
前記ドライバ認識情報および運転免許証識別情報を、他の装置に送信する送信手段と
を備えることを特徴とする情報処理装置。
【請求項３】
前記ドライバ認識情報は、前記ドライバの指紋情報である
ことを特徴とする請求項２に記載の情報処理装置。
【請求項４】
前記記憶手段は、前記運転免許証識別情報に対応付けて、前記運転免許証の有効期限、前記ドライバの交通違反または事故による点数の情報、前記ドライバが所定の場所を出発するときの出発時刻、または前記ドライバが前記所定の場所に到着したときの到着時刻も記憶し、
前記送信手段は、前記運転免許証の有効期限、前記ドライバの交通違反または事故による点数の情報、前記出発時刻、または前記到着時刻も送信する
ことを特徴とする請求項２に記載の情報処理装置。
【請求項５】
他の装置から、ドライバを認識するドライバ認識情報とドライバの運転免許証を識別する運転免許証識別情報を受信する受信手段と、
前記ドライバを認識するドライバ認識手段と、
前記運転免許証識別情報に対応付けて、前記ドライバ認識情報を記憶する記憶手段と、
前記ドライバ認識手段による認識結果と、前記受信手段により受信された前記ドライバ認識情報とが一致するかどうかを判定する判定手段と
を備えることを特徴とする情報処理装置。
【請求項６】
前記判定手段において、前記ドライバ認識手段による認識結果と、前記受信手段により受信された前記ドライバ認識情報が一致しないと判定された場合、警報情報を出力する出力手段をさらに備える
ことを特徴とする請求項５に記載の情報処理装置。
【請求項７】
前記ドライバ認識情報は、前記ドライバの指紋情報である
ことを特徴とする請求項５に記載の情報処理装置。
【請求項８】
前記受信手段は、前記運転免許証の有効期限も受信し、
前記記憶手段は、前記運転免許証識別情報に対応付けて、前記運転免許証の有効期限も記憶し、
前記判定手段は、現在の日付が前記運転免許証の有効期限を超過しているかどうかも判定する
ことを特徴とする請求項５に記載の情報処理装置。
【請求項９】
前記判定手段において、現在の日付が前記運転免許証の有効期限を超過していると判定された場合、警報情報を出力する出力手段をさらに備える
ことを特徴とする請求項８に記載の情報処理装置。
【請求項１０】
前記受信手段は、前記ドライバの交通違反または事故による点数の情報も受信し、
前記記憶手段は、前記運転免許証識別情報に対応付けて、前記ドライバの交通違反または事故による点数の情報も記憶し、
前記判定手段は、前記点数が所定の基準以上であるかどうかも判定する
ことを特徴とする請求項５に記載の情報処理装置。
【請求項１１】
前記判定手段において、前記点数が所定の基準以上であると判定された場合、警報情報を出力する出力手段をさらに備える
ことを特徴とする請求項１０に記載の情報処理装置。
【請求項１２】
前記記憶手段は、前記運転免許証識別情報に対応付けて、前記ドライバが所定の場所を出発するときの出発時刻、または前記ドライバが前記所定の場所に到着したときの到着時刻も記憶する
ことを特徴とする請求項５に記載の情報処理装置。
【請求項１３】
他の装置から、ドライバを認識するドライバ認識情報とドライバの運転免許証を識別する運転免許証識別情報を受信する受信ステップと、
前記ドライバを認識するドライバ認識ステップと、
前記運転免許証識別情報に対応付けて、前記ドライバ認識情報を記憶手段に記憶させる記憶ステップと、
前記ドライバ認識ステップの処理による認識結果と、前記受信ステップの処理により受信された前記ドライバ認識情報とが一致するかどうかを判定する判定ステップと
を含むことを特徴とする情報処理方法。
【請求項１４】
他の装置から、ドライバを認識するドライバ認識情報とドライバの運転免許証を識別する運転免許証識別情報を受信する受信ステップと、
前記ドライバを認識するドライバ認識ステップと、
前記運転免許証識別情報に対応付けて、前記ドライバ認識情報を記憶手段に記憶させる記憶ステップと、
前記ドライバ認識ステップの処理による認識結果と、前記受信ステップの処理により受信された前記ドライバ認識情報とが一致するかどうかを判定する判定ステップと
を含む処理をコンピュータに実行させることを特徴とするプログラム。
【請求項１５】
所有者を特定可能なカードを包装する包装体において、
前記カード上の、カードを識別するカード識別情報が記載されている箇所を目隠しする目隠し手段と、
所定の情報を記憶する記憶手段と、
前記所定の情報を他の装置に送信するアンテナと
を備えることを特徴とする包装体。
【請求項１６】
前記記憶手段およびアンテナは、前記包装体に貼り付けられている
ことを特徴とする請求項１５に記載の包装体。
【請求項１７】
前記アンテナは、別の装置から前記所定の情報の受信もする
ことを特徴とする請求項１５に記載の包装体。
【請求項１８】
前記カードは、密封状態に包装され、
前記包装体を開封して、前記カードを取り出すための開封手段をさらに備える
ことを特徴とする請求項１５に記載の包装体。
【請求項１９】
前記開封手段により前記包装体が開封された場合、前記アンテナが分断される
ことを特徴とする請求項１５に記載の包装体。
【請求項２０】
前記カードは、運転免許証であり、
前記カードを識別するカード識別情報は、ライセンスナンバであり、
前記所定の情報は、前記ライセンスナンバ、前記運転免許証の所有者であるドライバを認識するドライバ認識情報、または前記ドライバの交通違反または事故による点数の情報である
ことを特徴とする請求項１５に記載の包装体。
【請求項２１】
前記ドライバ認識情報は、ドライバの指紋情報である
ことを特徴とする請求項２０に記載の情報処理装置。
【請求項２２】
所定の情報を記憶する記憶手段と、前記所定の情報を送信するアンテナとを備え、所有者を特定可能なカードを包装する包装体の包装方法において、
前記カード上の、カードを識別するカード識別情報が記載されている箇所を目隠しし、
前記包装体が開封されたときに、前記アンテナが分断される
ことを特徴とする包装方法。
【発明の詳細な説明】
【技術分野】
【０００１】
本発明は、包装体および包装方法、情報処理装置および方法、プログラム、並びに情報処理システムに関し、特に、ドライバの質を管理することができるようにする包装体および包装方法、情報処理装置および方法、プログラム、並びに情報処理システムに関する。
【背景技術】
【０００２】
従来、トラックなどの輸送車両を使って、荷物を、家屋や工場、または商店などの所定の場所に配送する業態形態（配送業務）がある。
【０００３】
このようなトラックなどによる荷物の配送業務では、運送会社（元請け）が、自社の社員をドライバとして、そのドライバに荷物の配送業務を行わせる他に、配送する荷物量の増加や、デポ（デリバリーポイント；配送拠点）の増加、あるいは、コストの節減などの様々な理由により、自社のドライバ（社員）以外の、下請け業者を使用し、その下請けの運送会社のドライバに、配送業務を行わせることがある。
【０００４】
また、配送業務において採用されているシステムとしては、荷物を配送する複数のトラックそれぞれについて、積載する荷物の最適な配分を決定したり、各トラックが荷物を配送する最適なルートを決定するトラックの運行管理システムがある。
【０００５】
さらに、例えば、車両の使用または返却時の、行き先および作業内容などの入力を簡単な操作で行って、車両日報を作成するものもある（例えば、特許文献１参照）。
【０００６】
また、乗合バスの運転席や航空機の操縦席などに着席した運転者の識別（判別）をするようにしたものもある（特許文献２参照）。
【０００７】
ところで、トラックを運転するドライバが、例えば、運転免許証を不携帯である場合や、交通違反または事故などによる点数が基準より超過しているために運転免許を停止または取り消されていた場合、本来、そのドライバは、トラック等の車両を運転してはいけないため、配送業務を行うことができない。
【０００８】
【特許文献１】特開平８−２０２９１０号公報
【特許文献２】特開２００１−１８６６号公報
【発明の開示】
【発明が解決しようとする課題】
【０００９】
しかしながら、ドライバは、賃金（労働）の確保などのため、自分が運転免許証を不携帯であったり、運転免許を停止または取り消されていた場合でも、無断で配送業務を行って車両を運転できる余地がある。即ち、ドライバの質が保たれていないことがある。
【００１０】
配送業務を管理する会社では、ドライバの管理手順などを定め、ドライバの質の管理を行っているが、日常の業務の負荷などにより実際の管理遂行は難しい。
【００１１】
また、元請けの運送会社が上述したような下請けの運送会社を用いている場合、元請けの運送会社が、配送業務を委託している下請けの運送会社のドライバにまで、ドライバの質を管理することは、さらに難しいと考えられる。
【００１２】
本発明は、このような状況に鑑みてなされたものであり、ドライバの質を管理することができるようにするものである。
【課題を解決するための手段】
【００１３】
本発明の情報処理システムは、第１の情報処理装置が、ドライバを認識するドライバ認識情報とドライバの運転免許証を識別する運転免許証識別情報とを記憶する第１の記憶手段と、ドライバ認識情報および運転免許証識別情報を、第２の情報処理装置に送信する送信手段とを有し、第２の情報処理装置が、第１の情報処理装置から、ドライバ認識情報および運転免許証識別情報を受信する受信手段と、ドライバを認識するドライバ認識手段と、運転免許証識別情報に対応付けて、ドライバ認識情報を記憶する第２の記憶手段と、ドライバ認識手段による認識結果と、受信手段により受信されたドライバ認識情報とが一致するかどうかを判定する判定手段とを有することを特徴とする。
【００１４】
この第１の記憶手段は、例えば、EEPROM（Electrically Erasable Programmable Read Only Memory）などの不揮発性メモリにより構成される。送信手段は、例えば、RFタグのアンテナなどにより構成される。また、受信手段は、例えば、RFIDシステムのリーダライタのアンテナなどにより構成される。認識手段は、例えば、指紋センサなどにより構成される。第２の記憶手段は、例えば、ハードディスクなどにより構成される。判定手段は、例えば、CPU（Central Processing Unit）などにより構成される。
【００１５】
本発明の情報処理システムにおいては、第１の情報処理装置において、ドライバを認識するドライバ認識情報とドライバの運転免許証を識別する運転免許証識別情報とが記憶され、そのドライバ認識情報および運転免許証識別情報が、第２の情報処理装置に送信される。第２の情報処理装置において、第１の情報処理装置から、ドライバ認識情報および運転免許証識別情報が受信され、ドライバが認識され、その認識結果と、受信されたドライバ認識情報とが一致するかどうかが判定される。
【００１６】
従って、ドライバの質を管理することができる。また、ドライバの成りすましを防止することができる。さらに、ドライバの免許の不携帯を防止することができる。
【００１７】
本発明の第１の情報処理装置は、ドライバを認識するドライバ認識情報とドライバの運転免許証を識別する運転免許証識別情報とを記憶する記憶手段と、ドライバ認識情報および運転免許証識別情報を、他の装置に送信する送信手段とを備えることを特徴とする。
【００１８】
この記憶手段は、例えば、EEPROM（Electrically Erasable Programmable Read Only Memory）などの不揮発性メモリにより構成される。送信手段は、例えば、RFタグのアンテナなどにより構成される。
【００１９】
ドライバ認識情報は、例えば、ドライバの指紋情報、顔面情報、または掌紋情報などとすることができる。
【００２０】
本発明の第１の情報処理装置においては、ドライバを認識するドライバ認識情報とドライバの運転免許証を識別する運転免許証識別情報とが記憶され、そのドライバ認識情報および運転免許証識別情報が、他の装置に送信される。
【００２１】
従って、ドライバの質を管理するための情報を他の装置に供給することができる。また、ドライバの成りすましを防止するための情報を他の装置に供給することができる。
【００２２】
記憶手段には、運転免許証識別情報に対応付けて、運転免許証の有効期限、ドライバの交通違反または事故による点数の情報、ドライバが所定の場所を出発するときの出発時刻、またはドライバが所定の場所に到着したときの到着時刻も記憶させ、送信手段には、運転免許証の有効期限、ドライバの交通違反または事故による点数の情報、出発時刻、または到着時刻も送信させるようにすることができる。
【００２３】
従って、他の装置において、ドライバの運転免許証の有効期限、ドライバの交通違反または事故による点数の情報、ドライバが所定の場所を出発するときの出発時刻、またはドライバが所定の場所に到着したときの到着時刻を管理することができる。
【００２４】
本発明の第２の情報処理装置は、他の装置から、ドライバを認識するドライバ認識情報とドライバの運転免許証を識別する運転免許証識別情報を受信する受信手段と、ドライバを認識するドライバ認識手段と、運転免許証識別情報に対応付けて、ドライバ認識情報を記憶する記憶手段と、ドライバ認識手段による認識結果と、受信手段により受信されたドライバ認識情報とが一致するかどうかを判定する判定手段とを備えることを特徴とする。
【００２５】
この受信手段は、例えば、RFIDシステムのリーダライタのアンテナや端末装置の通信部などにより構成される。認識手段は、例えば、指紋センサなどにより構成される。記憶手段は、例えば、ハードディスクなどにより構成される。判定手段は、例えば、CPU（Central Processing Unit）などにより構成される。
【００２６】
本発明の第２の情報処理装置においては、他の装置から、ドライバを認識するドライバ認識情報とドライバの運転免許証を識別する運転免許証識別情報が受信され、ドライバが認識され、その認識結果と、受信されたドライバ認識情報とが一致するかどうかが判定される。
【００２７】
従って、ドライバの質を管理することができる。また、ドライバの成りすましを防止することができる。さらに、ドライバの免許の不携帯を防止することができる。
【００２８】
第２の情報処理装置には、判定手段において、ドライバ認識手段による認識結果と、受信されたドライバ認識情報が一致しないと判定された場合、警報情報を出力する出力手段をさらに設けることができる。
【００２９】
この出力手段は、例えば、ディスプレイやスピーカにより構成される。これにより、例えば、情報処理装置のそばにいるオペレータに、ドライバ認識手段による認識結果と、受信されたドライバ認識情報が一致しないことを報知することができる。
【００３０】
ドライバ認識情報は、例えば、ドライバの指紋情報、顔面情報、または掌紋情報などとすることができる。
【００３１】
受信手段には、運転免許証の有効期限も受信させ、記憶手段には、運転免許証識別情報に対応付けて、運転免許証の有効期限も記憶させ、判定手段には、現在の日付が運転免許証の有効期限を超過しているかどうかも判定させるようにすることができる。これにより、現在の日付がドライバの運転免許証の有効期限を超過しているかどうかを確認することができる。即ち、ドライバの質を管理することができる。
【００３２】
第２の情報処理装置には、判定手段において、現在の日付が運転免許証の有効期限を超過していると判定された場合、警報情報を出力する出力手段をさらに設けることができる。これにより、例えば、情報処理装置のそばにいるオペレータに、現在の日付が運転免許証の有効期限を超過していることを報知することができる。
【００３３】
受信手段には、ドライバの交通違反または事故による点数の情報も受信させ、記憶手段には、運転免許証識別情報に対応付けて、ドライバの交通違反または事故による点数の情報も記憶させ、判定手段には、点数が所定の基準以上であるかどうかも判定させるようにすることができる。これにより、ドライバの交通事故または違反による点数が所定の基準以上であるかどうかを確認することができる。即ち、ドライバの質を管理することができる。
【００３４】
第２の情報処理装置には、判定手段において、点数が所定の基準以上であると判定された場合、警報情報を出力する出力手段をさらに設けることができる。これにより、例えば、情報処理装置のそばにいるオペレータに、ドライバの交通違反または事故による点数が所定の基準以上であることを報知することができる。
【００３５】
記憶手段には、運転免許証識別情報に対応付けて、ドライバが所定の場所を出発するときの出発時刻、またはドライバが所定の場所に到着したときの到着時刻も記憶させるようにすることができる。これにより、ドライバの運行情報を管理することができる。
【００３６】
本発明の情報処理方法は、他の装置から、ドライバを認識するドライバ認識情報とドライバの運転免許証を識別する運転免許証識別情報を受信する受信ステップと、ドライバを認識するドライバ認識ステップと、運転免許証識別情報に対応付けて、ドライバ認識情報を記憶手段に記憶させる記憶ステップと、ドライバ認識ステップの処理による認識結果と、受信ステップの処理により受信されたドライバ認識情報とが一致するかどうかを判定する判定ステップとを含むことを特徴とする。
【００３７】
本発明のプログラムは、他の装置から、ドライバを認識するドライバ認識情報とドライバの運転免許証を識別する運転免許証識別情報を受信する受信ステップと、ドライバを認識するドライバ認識ステップと、運転免許証識別情報に対応付けて、ドライバ認識情報を記憶手段に記憶させる記憶ステップと、ドライバ認識ステップの処理による認識結果と、受信ステップの処理により受信されたドライバ認識情報とが一致するかどうかを判定する判定ステップとを含む処理をコンピュータに実行させることを特徴とする。
【００３８】
この受信ステップは、例えば、ドライバの指紋情報とドライバのライセンスナンバ等の運転免許証識別情報をRFIDシステムのリーダライタのアンテナや端末装置の通信部などにより受信する処理により構成される。ドライバ認識ステップは、例えば、指紋検出センサなどによりドライバの指紋情報を検出する処理により構成される。記憶ステップは、例えば、ハードディスクなどの記憶部に、ドライバのライセンスナンバに対応付けて、ドライバの指紋情報を記憶させる処理により構成される。判定ステップは、例えば、指紋センサによるドライバの指紋情報の検出結果と、受信ステップの処理により受信された指紋情報とが一致するかどうか判定する処理により構成される。
【００３９】
本発明の情報処理方法およびプログラムにおいては、他の装置から、ドライバを認識するドライバ認識情報とドライバの運転免許証を識別する運転免許証識別情報が受信され、ドライバが認識され、その認識結果と、ドライバ認識情報とが一致するかどうかが判定される。
【００４０】
従って、ドライバの質を管理することができる。また、ドライバの成りすましを防止することができる。さらに、ドライバの免許の不携帯を防止することができる。
【００４１】
本発明の包装体は、カード上の、カードを識別するカード識別情報が記載されている箇所を目隠しする目隠し手段と、所定の情報を記憶する記憶手段と、所定の情報を他の装置に送信するアンテナとを備えることを特徴とする。
【００４２】
記憶手段およびアンテナは、包装体に貼り付けられているようにすることができる。
【００４３】
アンテナには、別の装置から所定の情報の受信もさせることができる。
【００４４】
目隠し手段は、例えば、不透明色で着色された包装体の不透明部分により構成される。記憶手段は、例えば、EEPROM（Electrically Erasable Programmable Read Only Memory）などの不揮発性メモリにより構成される。
【００４５】
本発明の包装体においては、カード上の、カードを識別するカード識別情報が記載されている箇所が目隠しされ、所定の情報が記憶され、その所定の情報が他の装置に送信される。これにより、所定の情報を他の装置に供給することができる。
【００４６】
この包装体には、カードは、密封状態に包装され、包装体を開封して、カードを取り出すための開封手段をさらに設けるようにすることができる。この開封手段は、例えば、切り取り線により構成される。開封手段により包装体が開封された場合、アンテナが分断されるようにすることができる。これにより、包装体が開封されたことを迅速に知ることができる。
【００４７】
ドライバ認識情報は、例えば、ドライバの指紋情報とすることができる。
【００４８】
カードは、例えば、運転免許証とし、カードを識別するカード識別情報は、例えば、ライセンスナンバとし、所定の情報は、例えば、ライセンスナンバ、運転免許証の所有者であるドライバを認識するドライバ認識情報、またはドライバの交通違反または事故による点数の情報とすることができる。これにより、他の装置において、ドライバの質を管理させることができる。
【００４９】
本発明の包装方法は、カード上の、カードを識別するカード識別情報が記載されている箇所を目隠しし、包装体が開封されたときに、アンテナが分断されることを特徴とする。これにより、包装体を管理する管理者は、包装体が開封されたことを迅速に知ることができる。
【発明の効果】
【００５０】
本発明によれば、ドライバの質を管理することができる。
【発明を実施するための最良の形態】
【００５１】
図１は、本発明を適用したドライバ管理システムの一実施の形態の構成例を示している。
【００５２】
会社XYZは、元請けの運送会社であり、配送する荷物を、デポX、デポY、およびデポZのいずれかに集めている。
【００５３】
運送会社A，B、およびCそれぞれは、会社XYZから荷物の配送を請け負っている下請けの運送会社である。
【００５４】
会社XYZのデポXには、管理システム２１が設置されている。また、デポYには、管理システム２２が、デポZには、管理システム２３がそれぞれ設置されている。
【００５５】
また、運送会社A，B、またはCは、それぞれ、情報入力システム３１，３２、または３３を有している。
【００５６】
なお、管理システム２１乃至２３それぞれは、同様の処理を行う。
【００５７】
また、情報入力システム３１乃至３３それぞれは、同様の処理を行う。
【００５８】
そこで、以下では、デポXの管理システム２１と、運送会社Aの情報入力システム３１についてそれぞれ説明することとし、デポYの管理システム２２およびデポZの管理システム２３と、運送会社Bの情報入力システム３２および運送会社Cの情報入力システム３３の説明については省略する。
【００５９】
運送会社Aで会社XYZの配送業務を行っている、あるドライバがいる。そのドライバは、自分の運転免許証を運送会社A（または会社XYZ）から支給された免許証入れ４１に収納して、携帯することが義務付けられている。
【００６０】
免許証入れ４１には、RF(Radio Frequency)タグ４２が貼り付けられており、RFタグ４２は、情報入力システム３１と情報（データ）の送受信が可能となっている。
【００６１】
情報入力システム３１は、ドライバの指紋（の情報）を検出し、その指紋を表す指紋情報とともに、ドライバの運転免許証のライセンスナンバや運転免許証の有効期限などの情報を含む免許証情報を、RFタグ４２に送信する。ここで、免許証情報は、例えば、情報入力システム３１において、オペレータが、ドライバの免許証を確認して、所定事項を入力することにより生成される。また、指紋情報は、運転免許証の所有者を認識する認識情報として使用される。
【００６２】
RFタグ４２は、情報入力システム３１から送信されてくる、ドライバの指紋情報と免許証情報を受信して記憶する。なお、以下では、ドライバの指紋情報と免許証情報をあわせて、ドライバ情報ともいう。
【００６３】
そして、運送会社Aのドライバが配送業務にデポXにやってくると、管理システム２１は、ドライバの指紋を表す指紋情報を検出する。さらに、管理システム２１は、RFタグ４２から、そこに記憶されたドライバの指紋情報を読み取り（受信し）、自身が検出した指紋情報が、RFタグ４２に記憶されたドライバの指紋情報と一致するかどうかを判定し、ドライバが本人であるかどうかの指紋認証（本人確認）を行う。
【００６４】
また、管理システム２１は、RFタグ４２から免許証情報を読み取る（受信する）ことにより、ドライバの運転免許証の有効期限が切れていないかどうかなどを確認（判定）する。
【００６５】
そして、ドライバの本人確認および運転免許証の有効期限の確認が終了した後、管理システム２１は、そのドライバがデポXに到着したときの時刻（以下、到着時刻という）を内部に記憶する。また、ドライバが、トラックに荷物を積み込み、配送をするためにデポXを出発したときには、管理システム２１は、デポXを出発したときの時刻（以下、出発時刻という）も内部に記憶する。
【００６６】
管理システム２１は、RFタグ４２から受信したドライバ情報や、デポXにやってくるドライバの到着時刻および出発時刻などの情報（以下、適宜、運行情報という）を、ネットワーク２４を介して、統合サーバ２５に送信する。
【００６７】
ネットワーク２４は、LAN(Local Area Network)、WAN(Wide Area Network)、またはインターネットなどのネットワークで構成され、図１では、管理システム２１乃至２３と統合サーバ２５とが接続している。
【００６８】
統合サーバ２５は、管理システム２１乃至２３からネットワーク２４を介して送信されてくる、ドライバ情報、デポX，Y、およびZの運行情報をデータベースに記憶する。
【００６９】
以上のように構成されるドライバ管理システムにおいては、RFタグ４２に記憶されているドライバ情報が次のように使用される。
【００７０】
運送会社Aのあるドライバは、RFタグ４２が貼り付けられた免許証入れ４１に運転免許証を入れて携帯し、会社XYZのデポXにトラックなどで移動する。
【００７１】
ドライバがデポXに到着後、デポXにおいて、管理システム２１は、RFタグ４２に記憶されている指紋情報が、自身が検出した指紋情報と一致するかどうかを確認（指紋認証）する。
【００７２】
また、管理システム２１は、RFタグ４２に記憶されているドライバの免許証情報を読み取る（受信する）ことにより、ドライバの運転免許証の有効期限が超過していないか（切れていないか）どうかを確認する。
【００７３】
そして、RFタグ４２に記憶されている指紋情報が、自身が検出した指紋情報と一致しない場合、現在の日付がドライバの運転免許証の有効期限を超過していた場合、または、RFタグ４２から何らの情報も送信されてこなかった場合、管理システム２１は、その旨を、デポXにいる会社XYZの社員などに知らせる警報（例えば、ブザーやディスプレイへの表示）を発する。なお、RFタグ４２から何らの情報も送信されてこない場合には、ドライバがデポXに到着していない状態と区別がつかないので、例えば、ドライバが通る場所に光電センサなどを設け、ドライバのデポXへの到着をチェックするようにすることができる。
【００７４】
図２は、図１のドライバの運転免許証５１が収納された免許証入れ４１の表面（おもて）の外観図（概略）を示している。
【００７５】
免許証入れ４１は、例えば、運転免許証５１より僅かに大きなサイズの包装体となっており、そこには、運転免許証５１がちょうど収まるようになっている。
【００７６】
また、免許証入れ４１は、例えば、塩化ビニル樹脂（PVC）（以下、ビニルという）などの材料で作成され、そこには、運転免許証５１が密封状態で収納されている。なお、ここでの密封（状態）とは、免許証入れ４１が完全に閉じられている状態でなくても、図３で後述する切り取り線９３によって免許証入れ４１を開封しない限りは、運転免許証５１を取り出すことができない状態であることを意味する。
【００７７】
そして、免許証入れ４１には、運転免許証５１の記載事項が見えるように透明色となっている透明部分８１と、運転免許証５１の記載事項を目隠しする不透明色（例えば、黒色）となっている不透明部分８２（周辺を斜線で示す領域）とがある。
【００７８】
免許証入れ４１の透明部分８１において、運転免許証５１の記載事項を確認できる項目としては、例えば、その運転免許証５１の所有者の氏名、生年月日、本籍、および住所、運転免許証５１の交付年月日、並びに運転免許証５１の有効期限などがある。図２では、例えば、運転免許証５１の有効期限は、「平成１７年７月１０日」となっている。
【００７９】
一方、免許証入れ４１の不透明部分８２に重なっている、運転免許証５１の記載事項を確認できない項目としては、例えば、運転免許証５１のライセンスナンバ（番号）、運転免許の種類などがある。図２では、例えば、運転免許証５１のライセンスナンバは、「（第）３０５０１２３４７８９０（号）」、運転免許の種類は、「普通」となっている。この運転免許証５１のライセンスナンバは、運転免許証５１を一意に識別する情報（運転免許証識別情報）である。
【００８０】
なお、免許証入れ４１の不透明部分８２は、運転免許証５１のライセンスナンバ等の記載事項が見えなくなるように機能すればよく、免許証入れ４１の材料そのものが不透明色でなくてもよい。例えば、免許証入れ４１の不透明部分８２を、透明部分８１と同材料の透明色で作成しておいて、不透明部分８２の領域だけに（印刷などによる）非透過性の着色を施すなどしてもよい。
【００８１】
図３は、図２の反対面となる、免許証入れ４１の裏面の外観図（概略）を示している。
【００８２】
図３に示す免許証入れ４１の裏面には、RFタグ４２を構成するアンテナ９１とIC(Integrated Circuit)チップモジュール９２が貼り付けられている。
【００８３】
アンテナ９１は、ICチップモジュール９２からのドライバ情報などのデータを送信するとともに、データを受信して、ICチップモジュール９２に供給する。ICチップモジュール９２は、ドライバのドライバ情報を記憶する記憶回路や、そのドライバ情報の送受信を制御する送受信回路（ともに図示せず）などが、ICチップ化されたものである。
【００８４】
運転免許証５１は、上述したように免許証入れ４１に密封されている。そして、運転免許証５１を取り出すときには、例えば、ミシン目の切り取り線９３に沿って免許証入れ４１が開封される。即ち、切り取り線９３は、免許証入れ４１を開封して、運転免許証５１を取り出すための、弱め線である。
【００８５】
また、切り取り線９３は、図３に示すように、アンテナ９１の一部を跨ぐように配置されている。従って、切り取り線９３により免許証入れ４１が開封されたときには、アンテナ９１が分断され、ドライバ情報などの送受信が出来なくなるようになっている。
【００８６】
例えば、ドライバが交通事故を起こしたり、交通違反をした場合、ドライバは、警察官に運転免許証５１の提示を求められる。そして、ドライバから運転免許証５１を受け取った警察官は、運転免許証５１のライセンスナンバを必ず確認する。
【００８７】
しかしながら、図２および図３に示すように、免許証入れ４１に運転免許証５１が収納された（密封された）状態では、運転免許証５１のライセンスナンバが不透明部分８２により目隠しされているので、そのままでは、ドライバのライセンスナンバを確認することができない。
【００８８】
そこで、警察官は、ドライバに、免許証入れ４１を開封して、運転免許証５１を提示することを要求する。ドライバは、その要求に応じて、切り取り線９３に沿って免許証入れ４１を開封し、警察官に提示する。そして、警察官がドライバのライセンスナンバを確認する。
【００８９】
一度、切り取り線９３に従って免許証入れ４１が開封されると、上述したように、アンテナ９１が分断されてしまうので、RFタグ４２は、ドライバ情報の送受信をすることが出来なくなる。
【００９０】
従って、免許証入れ４１が開封された以降、ドライバが、交通事故または違反を起こしたことを秘密にして配送業務を行おうとすると、デポXでは、ドライバが所有する免許証入れ４１のRFタグ４２から、管理システム２１にドライバ情報が送信されないので、管理システム２１は、警報を発することになる。そのため、ドライバは、会社XYZのシステム管理者または運送会社Aを管理している管理者などに、交通事故または違反を起こしたことを申告せざるを得なくなる。
【００９１】
即ち、会社XYZでは、免許証入れ４１が開封されたこと、および運送会社Aのドライバが交通事故違反を起こしたことを迅速に知ることができる。
【００９２】
図４は、図１の運送会社Aの情報入力システム３１の構成例を示している。
【００９３】
端末装置１０１は、リーダライタ１０３と接続されている。
【００９４】
また、端末装置１０１は、ドライバの指紋情報を検出する。そして、端末装置１０１は、その検出されたドライバの指紋情報と、端末装置１０１のオペレータにより入力されるドライバの免許証情報をリーダライタ１０３に送信する。
【００９５】
リーダライタ１０３は、端末装置１０１から送信されたドライバの指紋情報および免許証情報（即ち、ドライバ情報）をRFタグ４２に送信する。リーダライタ１０３とRFタグ４２との間では、電波または電磁波を媒体とする無線通信により、ドライバ情報のデータが送受信される。リーダライタ１０３とRFタグ４２とは、RFIDシステムを構成している。
【００９６】
ここで、端末装置１０１のオペレータにより入力され、ドライバの免許証情報となるデータの詳細について説明する。
【００９７】
ドライバの免許証情報としては、そのドライバの、例えば、ライセンスナンバ、ドライバ名（運転免許証５１の所有者の氏名）、運送会社名、運転免許の種類、運転免許証５１の有効期限、および交通事故または違反による点数などがある。この中の、ライセンスナンバ、ドライバ名、運転免許の種類、および運転免許証の有効期限は、オペレータが、ドライバの運転免許証５１を確認することにより、容易に認識することができる。例えば、図２で示した例では、ライセンスナンバ、ドライバ名、運転免許の種類、および運転免許証の有効期限は、それぞれ、「３０５０１２３４７８９０」、「日本  花子」、「普通」、および「平成１７年７月１０日」である。また、運送会社名についても、オペレータ自身の会社（名）でもあるので、オペレータが容易に認識することが可能である。
【００９８】
一方、ドライバの交通事故または違反による点数は、オペレータが容易に知ることはできない。即ち、ドライバの交通事故または違反による点数は、運転経歴の証明書の一つであり、交通違反や交通事故の点数が現在何点になっているかを証明する証明書である累積点数等証明書を、各都道府県に所在する自動車安全運転センターに、（原則）本人が申請すし、オペレータが、その累積点数等証明書を見ることによって確認できるものである。
【００９９】
運送会社Aが、自社で雇用しているドライバに対して、この累積点数等証明書を提出させる。オペレータは、ドライバから提出された累積点数等証明書を確認し、交通事故または違反による点数（の情報）を入力する。
【０１００】
運送会社Aは、例えば、定期的（例えば、６ヶ月ごと）または不定期に、ドライバに対して、累積点数等証明書を提出させることにより、ドライバの交通事故または違反による点数を管理する。
【０１０１】
図５は、図４の端末装置１０１の詳細な構成例を示している。
【０１０２】
図５において、端末装置１０１は、CPU（Central Processing Unit）１２１，ROM（Read Only Memory）１２２，RAM（Random Access Memory）１２３、バス１２４、入出力インタフェース１２５、入力部１２６、出力部１２７、記録部１２８、通信部１２９、ドライブ１３０、および指紋センサ１３１により構成される。
【０１０３】
CPU１２１，ROM１２２、およびRAM１２３は、バス１２４を介して相互に接続されている。このバス１２４にはまた、入出力インタフェース１２５も接続されている。
【０１０４】
CPU１２１は、ROM１２２に記憶されているプログラム、または記憶部１２８からRAM１２３にロードされたプログラムに従って各種の処理を実行する。
【０１０５】
例えば、CPU１２１は、入力部１２６から入力されるドライバの免許証情報を、入出力インタフェース１２５を介して、リーダライタ１０３（図４）に送信する処理を行う。RAM１２３にはまた、CPU１２１が各種の処理を実行する上において必要なデータなども適宜記憶される。
【０１０６】
入出力インタフェース１２５には、キーボード、マウスなどよりなる入力部１２６、CRT(Cathode Ray Tube) ，LCD(Liquid Crystal display)などよりなるディスプレイおよびスピーカなどよりなる出力部１２７、ハードディスクなどより構成される記憶部１２８、並びにUSBインタフェース、LANカードなどより構成される通信部１２９が接続されている。通信部１２９は、インターネットなどのネットワークを介しての通信処理も行うことができる。
【０１０７】
入出力インタフェース１２５にはまた、必要に応じてドライブ１３０が接続され、磁気ディスク１４１、光ディスク１４２、光磁気ディスク１４３、或いは半導体メモリ１４４などが適宜装着され、それらから読み出されたコンピュータプログラムが、必要に応じて記憶部１２８にインストールされる。
【０１０８】
さらに、入出力インタフェース１２５には、指紋センサ１３１、およびリーダライタ１０３（図４）が接続されている。
【０１０９】
入力部１２６は、オペレータにより操作され、キーボード、マウスなどから入力される各種の情報を入出力インタフェース１２５を介して記憶部１２８に供給する。例えば、ドライバの免許証情報などが、オペレータにより入力され、入力部１２６から入出力インタフェース１２５を介して記憶部１２８に供給される。
【０１１０】
指紋センサ１３１は、例えば、図示しないCCD(Charge-Coupled Device)やCMOS（Complementary Mental Oxide Semiconductor）イメージャなどを用いて構成され、読み取り面に置かれたドライバの指に光を照射し、ドライバの指に反射して返ってくる光をCCD等で受光することにより、指紋の画像データを生成する。
【０１１１】
また、指紋センサ１３１は、読み取り面に置かれたドライバの指から生成された画像データに対して、所定の画像処理を施して、指紋特徴量を抽出し（指紋情報を検出し）、入出力インタフェース１２５を介して、記憶部１２８に供給する。
【０１１２】
なお、本実施の形態では、ドライバの指紋の画像データから抽出される指紋特徴量を、上述したドライバの指紋情報とするが、ドライバの指紋の画像データそのものを、ドライバの指紋情報としてもよい。
【０１１３】
以上のように構成される端末装置１０１では、オペレータがドライバの免許証情報を入力部１２６から入力する。また、指紋センサ１３１によって検出されたドライバの指紋情報が、入出力インタフェース１２５を介して記憶部１２８に供給される。そして、入力部１２６から入力されたドライバの免許証情報、および指紋センサ１３１で検出されたドライバの指紋情報が、入出力インタフェース１２５を介してリーダライタ１０３に送信される。
【０１１４】
図６は、図４のリーダライタ１０３の構成例を示している。
【０１１５】
リーダライタ１０３は、コントローラ２０１とアンテナ２０２とで構成されている。また、コントローラ２０１は、DPU（Data Processing Unit）２１１、バス２１２，SPU（Signal Processing Unit）２１３，SCC（Serial Communication Controller）２１４、メモリ２１５、復調部２１６、変調部２１７、および発振部２１８で構成されている。
【０１１６】
DPU２１１は、バス２１２を介して、SPU２１３，SCC２１４、およびメモリ２１５と、相互に接続されている。
【０１１７】
DPU２１１は、バス２１２と、SPU２１３またはSCC２１４とを介して、RFタグ４２または端末装置１０１との間で各種の（制御信号を含む）情報（データ）を送受信し、その情報に応じた処理を実行する。例えば、DPU２１１は、バス２１２およびSCC２１４を介して、端末装置１０１から送信されるドライバ情報を受信する。また、DPU２１１は、バス２１２およびSPU２１３を介して、端末装置１０１から受信したドライバ情報を、RFタグ４２に送信する。
【０１１８】
SPU２１３は、RFタグ４２と送受信するデータに対して所定の処理を施す。即ち、SPU２１３は、アンテナ２０２および復調部２１６を介してRFタグ４２から受信した情報（データ）や、変調部２１７に出力する情報（データ）に対して、例えば、BPSK（Binary Phase Shift Keying）変調（マンチェスタコードへのコーディング）などの処理を施す。ここで、RFタグ４２とリーダライタ１０３との間で送受信される情報（データ）は、例えば、ドライバのドライバ情報である。
【０１１９】
SCC２１４は、端末装置１０１（図４）との間で情報の送受信を行う。例えば、SCC２１４は、端末装置１０１から送信されたドライバ情報を、バス２１２を介して、DPU２１１に送信する。
【０１２０】
メモリ２１５は、DPU２１１が実行する処理に必要な情報を予め記憶したり、処理途中のデータを一時的に記憶する。
【０１２１】
復調部２１６は、アンテナ２０２を介してRFタグ４２から受信した変調波（例えば、ASK（Amplitude Shift Keying）変調波）を復調し、復調された各種の情報をSPU２１３に送信する。
【０１２２】
変調部２１７は、発振部２１８より供給される所定の周波数の搬送波を、SPU２１３が出力するドライバ情報（のデータ）に基づいて、ASK変調し、その結果得られるASK変調波を、アンテナ２０２を介して、出力する。これにより、アンテナ２０２では、ドライバ情報が、電磁波としてRFタグ４２に送信される。なお、このとき、変調部２１７は、変調度を１未満にして、ASK変調を行うようになされており、これにより、データがローレベルのときにおいても、ASK変調波の最大振幅がゼロにならないようになされている。
【０１２３】
発振部２１８は、例えば、１３．５６ＭＨｚなどの所定の周波数の搬送波を変調部２１７に送信する。
【０１２４】
図７は、図４のRFタグ４２の構成例を示している。
【０１２５】
RFタグ４２は、アンテナ９１とICチップモジュール９２で構成されている。また、ICチップモジュール９２は、ASK変復調部２４１、BPSK変復調部２４２，CPU２４３、およびEEPROM（Electrically Erasable and Programmable Read Only Memory）２４４で構成されている。
【０１２６】
ASK変復調部２４１は、アンテナ９１を介して入力された変調波（ASK変調波）を検波して復調し、復調後のデータ（例えば、ドライバ情報）を、BPSK変復調部２４２に供給する。BPSK変復調部２４２は、ASK変復調部２４１から供給されるデータのBPSK復調（マンチェスタコードのデコード）を行い、その結果得られるデータをCPU２４３に供給する。
【０１２７】
CPU２４３は、BPSK変復調部２４２から供給されたデータに基づいた所定の処理を実行する。例えば、CPU２４３は、BPSK変復調部２４２から供給されたドライバ情報をEEPROM２４４に供給して記憶させる。
【０１２８】
EEPROM２４４は、不揮発性のメモリであり、RFタグ４２が、リーダライタ１０３との通信を終了し、その電力供給が停止された後も、データ（ドライバ情報）を記憶し続ける。
【０１２９】
一方、RFタグ４２からリーダライタ１０３へドライバ情報を送信する場合には、CPU２４３は、EEPROM２４４に記憶されているドライバ情報を読み出し、BPSK変復調部２４２に供給する。BPSK変復調部２４２は、CPU２４３から供給されたドライバ情報をBPSK変調し、変調後のデータをASK変復調部２４１に供給する。ASK変復調部２４１は、BPSK変復調部２４２から供給された（例えば、ドライバ情報の）データに対応して、例えば、図示しない所定のスイッチング素子をオン／オフさせる。
【０１３０】
スイッチング素子がオン状態である場合には、所定の負荷がアンテナ９１に並列に接続されることになり、スイッチング素子をオン／オフさせることによって、アンテナ９１の負荷が変動する。ASK変復調部２４１は、アンテナ９１の負荷の変動により、アンテナ９１を介して受信している変調波をASK変調し、その変調波を、（アンテナ９１を介して）リーダライタ１０３のアンテナ２０２（図６）に送信する。
【０１３１】
逆に言えば、リーダライタ１０３は、RFタグ４２からデータを受信するとき、すなわち、RFタグ４２に所定のデータを送信させるとき、変調波の最大振幅を一定にして変調波（キャリア）を出力する。このリーダライタ１０３が出力する変調波（キャリア）が、RFタグ４２のアンテナ９１の負荷の変動によりASK変調（負荷変調）される。
【０１３２】
なお、RFタグ４２では、コイルとなるアンテナ９１および図示しないコンデンサで構成されるＬＣ回路において、リーダライタ１０３のアンテナ２０２が放射した電磁波の一部が電気信号に変換される。そして、その電気信号（変調波）を整流平滑化することで、包絡線検波が行われ、これにより生成される信号が、図示しない電圧レギュレータに供給され、安定化されて、直流電源として、RFタグ４２の各部に供給される。
【０１３３】
以上のように構成されるリーダライタ１０３（図６）とRFタグ４２（図７）との間で、運送会社Aのドライバのドライバ情報が、電磁波を媒体として送受信される。
【０１３４】
図８は、図１に示したデポXの管理システム２１の詳細な構成例を示している。
【０１３５】
管理システム２１は、端末装置３０１、リーダライタ３０２，LAN３０３、およびデポサーバ３０４で構成されている。
【０１３６】
端末装置３０１とデポサーバ３０４とは、LAN３０３で接続されている。また、LAN３０３は、ネットワーク２４に接続されており、端末装置３０１またはデポサーバ３０４それぞれは、ネットワーク２４を介して、統合サーバ２５と通信することができる。
【０１３７】
端末装置３０１は、例えば、リーダライタ３０２から、RFタグ４２に記憶されたドライバ情報を受信し、LAN３０３を介して、デポサーバ３０４に送信する。
【０１３８】
また、端末装置３０１は、ドライバの指紋認証（本人確認）を行う。即ち、端末装置３０１は、リーダライタ３０２を介して、RFタグ４２から受信したドライバの指紋情報と、自身がドライバから検出した指紋情報とが一致するかどうかを判定する。
【０１３９】
さらに、端末装置３０１は、ドライバがデポXに到着した到着時刻、およびドライバがデポXを出発する出発時刻を検出し、LAN３０３を介してデポサーバ３０４に送信する。
【０１４０】
リーダライタ３０２は、図６で示した情報入力システム３１のリーダライタ１０３と同様の構成を有している。
【０１４１】
リーダライタ３０２のアンテナを、例えば、門型のゲートのなかに埋め込み、ドライバがそのゲートを通り抜けるときに、リーダライタ３０２は、ドライバの免許証入れ４１に貼り付けられているRFタグ４２から、そのドライバのドライバ情報を読み取る（受信する）。また、ドライバが、リーダライタ３０２のアンテナに免許証入れ４１をかざすようにして、RFタグ４２からドライバのドライバ情報を読み取るようにすることもできる。
【０１４２】
なお、デポXで配送業務を行うドライバは、デポXにおいて、必ずアンテナが埋め込まれたゲートを通るようにし、基本的に、指紋認証されないドライバについては、配送業務を行うことができないようにする。
【０１４３】
デポサーバ３０４は、所定のデータベースを有するサーバである。デポサーバ３０４は、端末装置３０１から送信されるドライバ情報を、免許DB（Data Base）３２１に記憶させる(登録する)。また、デポサーバ３０４は、デポXに配送業務にやってくるドライバの到着時刻および出発時刻などのドライバの運行状態を表す運行情報を、端末装置３０１からLAN３０３を介して受信し、運行DB（Data Base）３２２に記憶させる（登録する）。
【０１４４】
また、デポサーバ３０４は、免許DB３２１および運行DB３２２に記憶されている情報を、LAN３０３およびネットワーク２４（図１）を介して、統合サーバ２５（図１）に送信する。
【０１４５】
図９は、図８の端末装置３０１の詳細な構成例を示している。
【０１４６】
図９において、端末装置３０１は、図５の端末装置１０１と同様の構成（ハードウエア構成）を有している。即ち、端末装置３０１は、CPU４０１，ROM４０２，RAM４０３、バス４０４、入出力インタフェース４０５、入力部４０６、出力部４０７、記録部４０８、通信部４０９、ドライブ４１０、および指紋センサ１４１により構成される。
【０１４７】
指紋センサ４１１は、図５の指紋センサ１３１と同様に、ドライバの指紋の画像データを生成し、その画像データに対して所定の処理を施して、指紋特徴量を抽出する（指紋情報を検出する）。
【０１４８】
また、CPU４０１は、RFタグ４２に記憶されたドライバ情報を、入出力インタフェース４０５を介してリーダライタ３０２から受信し、記憶部４０８に記憶させる。
【０１４９】
さらに、CPU４０１は、指紋センサ４１１が検出した指紋情報の検出結果が、リーダライタ３０２から受信し、記憶部４０８に記憶（登録）されているドライバ情報の中の指紋情報と一致するかどうかを判定（照合）する（指紋認証する）。
【０１５０】
また、CPU４０１は、所定の制御プログラムを実行することにより、現在時刻（日付を含む）を計時するタイマ機能を有しており、現在の日付が、ドライバの免許証情報に含まれる運転免許証５１の有効期限を超過していないかどうかを判定する。
【０１５１】
ドライバの指紋情報は、ドライバ本人を認識するドライバ認識情報であるといえる。このドライバ認識情報は、個人に固有な特徴量を検出することによりドライバ本人であることを認識することができればよく、指紋情報に限定されず、例えば、顔面認証を行う場合のドライバの顔の画像データから生成される（顔面特徴量が抽出された）顔面情報、あるいは掌紋認証を行う場合の掌紋の画像データから生成される（掌紋特徴量が抽出された）掌紋情報などでもよい。
【０１５２】
図１０は、図８のデポサーバ３０４の詳細な構成例を示している。
【０１５３】
図１０において、デポサーバ３０４は、CPU５０１，ROM５０２，RAM５０３、バス５０４、入出力インタフェース５０５、入力部５０６、出力部５０７、記録部５０８、通信部５０９、およびドライブ５１０により構成される。
【０１５４】
CPU５０１，ROM５０２、およびRAM５０３は、バス５０４を介して相互に接続されている。このバス５０４にはまた、入出力インタフェース５０５も接続されている。
【０１５５】
CPU５０１は、ROM５０２に記憶されているプログラム、または記憶部５０８からRAM５０３にロードされたプログラムに従って各種の処理を実行する。
【０１５６】
入出力インタフェース５０５には、キーボード、マウスなどよりなる入力部５０６、CRT(Cathode Ray Tube) ，LCD(Liquid Crystal display)などよりなるディスプレイおよびスピーカなどよりなる出力部５０７、ハードディスクなどより構成される記憶部５０８、並びにUSBインタフェース、LANカードなどより構成される通信部５０９が接続されている。通信部５０９は、インターネットなどのネットワークを介しての通信処理も行うことができる。
【０１５７】
入出力インタフェース５０５にはまた、必要に応じてドライブ５１０が接続され、磁気ディスク５２１、光ディスク５２２、光磁気ディスク５２３、或いは半導体メモリ５２４などが適宜装着され、それらから読み出されたコンピュータプログラムが、必要に応じて記憶部５０８にインストールされる。
【０１５８】
CPU５０１は、通信部５０９を介して端末装置３０１（図８）から受信したドライバ情報を、記憶部５０８の免許DB３２１に記憶させる(登録する)。また、CPU５０１は、通信部５０９を介して端末装置３０１から受信した運行情報を、記憶部５０８の運行DB３２２に記憶させる(登録する)。
【０１５９】
また、CPU５０１は、記憶部５０８の免許DB３２１または運行DB３２２に記憶されているドライバ情報または運行情報それぞれを、通信部５０９、LAN３０３（図８）、およびネットワーク２４（図１）を介して、統合サーバ２５（図１）に送信する。
【０１６０】
図１１は、図１の統合サーバ２５の詳細な構成例を示している。
【０１６１】
図１１において、統合サーバ２５は、図１０のデポサーバ３０４と同様の構成（ハードウエア構成）を有している。即ち、統合サーバ２５は、CPU６０１，ROM６０２，RAM６０３、バス６０４、入出力インタフェース６０５、入力部６０６、出力部６０７、記録部６０８、通信部６０９、およびドライブ６１０により構成される。
【０１６２】
CPU６０１は、デポサーバ３０４の免許DB３２１（図１０）、デポYの管理システム２２のデポサーバの免許DB（図示せず）、およびデポZの管理システム２３のデポサーバの免許DB(図示せず)に記憶されているデポX乃至Zのドライバ情報それぞれを、通信部６０９を介して受信し、記憶部６０８の免許DB６３１に記憶させる(登録する)。
【０１６３】
同様に、CPU６０１は、デポサーバ３０４の運行DB３２２（図１０）、デポYの管理システム２２のデポサーバの運行DB（図示せず）、およびデポZの管理システム２３のデポサーバの運行DB(図示せず)に記憶されているデポX乃至Zの運行情報それぞれを、通信部６０９を介して受信し、記憶部６０８の運行DB６３２に記憶させる(登録する)。
【０１６４】
図１２は、デポサーバ３０４の免許DB３２１に記憶されているドライバ情報（データ）の例を示している。
【０１６５】
図１２の免許DB３２１では、デポXで配送業務を行うドライバについてのドライバ情報が、ドライバごとに１レコードに記憶されている。また、ドライバの、ドライバ名、運送会社名、運転免許の種類（免許種類）、運転免許証５１の有効期限、交通事故または違反による点数、および指紋情報（認証データ）のファイル名それぞれは、ドライバのライセンスナンバに対応付けて、記憶されている。
【０１６６】
即ち、図１２の免許DB３２１の１番目のレコードには、ライセンスナンバ（ライセンスNO.）、ドライバ名、運送会社名、運転免許の種類（免許種類）、運転免許証５１の有効期限、交通事故または違反による点数、および指紋情報（認証データ）のファイル名として、それぞれ、「302417887099」、「山田」、「運送会社A」、「普通」、「H.17.02.25（平成１７年２月２５日）」、「３点」、および「yamada.dat」が記憶されている。
【０１６７】
２番目のレコードには、ライセンスナンバ（ライセンスNO.）、ドライバ名、運送会社名、運転免許の種類（免許種類）、運転免許証５１の有効期限、交通事故または違反による点数、および指紋情報（認証データ）のファイル名として、それぞれ、「102480456211」、「木村」、「運送会社B」、「普通・大型」、「H.16.05.14（平成１６年５月１４日）」、「０点」、および「kimura.dat」が記憶されている。
【０１６８】
図１３は、デポサーバ３０４の運行DB３２２に記憶されているデポXの運行情報（データ）の例を示している。
【０１６９】
図１３の運行DB３２２では、デポXに配送業務にやってくるドライバの運行状態を表す運行情報が、デポXへの１回の到着および出発ごとに１レコードに記憶されている。また、デポXに配送業務にやってくるドライバの、ドライバ名、運送会社名、デポ名、日付、到着時刻、および出発時刻それぞれは、ドライバのライセンスナンバに対応付けて、記憶されている。
【０１７０】
即ち、図１３の運行DB３２２では、１番目のレコードには、ライセンスナンバ（ライセンスNO.）、ドライバ名、運送会社名、デポ名、日付、到着時刻、および出発時刻として、それぞれ、「302417887099」、「山田」、「運送会社A」、「デポX」、「H.16.03.03（平成１６年３月３日）」、「10:13:30（１０時１３分３０秒）」、および「10:40:50（１０時４０分５０秒）」が記憶されている。
【０１７１】
２番目のレコードには、ライセンスナンバ（ライセンスNO.）、ドライバ名、運送会社名、デポ名、日付、到着時刻、および出発時刻として、それぞれ、「102480456211」、「木村」、「運送会社B」、「デポX」、「H.16.03.03（平成１６年３月３日）」、「14:05:20（１４時５分２０秒）」、および「15:55:03（１５時５５分０３秒）」が記憶されている。
【０１７２】
なお、同一のドライバが再度デポXに出入りした場合、運行DB３２２には、その都度、新たな１レコードが追加される。
【０１７３】
次に、図１４のフローチャートを参照して、ドライバに携帯させる免許証入れ４１のRFタグ４２に、ドライバ情報を登録（記憶）させるドライバ登録処理について説明する。このドライバ登録処理は、例えば、運送会社Aで働くドライバが、会社XYZの配送業務を始める（担当した）とき（前）に、運送会社Aの情報入力システム３１およびRFタグ４２において行われる。
【０１７４】
初めに、ステップＳ１において、端末装置１０１（図４）は、配送業務を始めようとしているドライバの指紋情報を検出し、ステップＳ２に進む。即ち、ステップＳ１では、端末装置１０１の指紋センサ１３１（図５）が、ドライバ指紋の画像データを生成し、その画像データに対して、所定の画像処理を施して、指紋特徴量を抽出する。
【０１７５】
ステップＳ２において、端末装置１０１は、オペレータが入力部１２６を操作することにより入力されるドライバの免許証情報（即ち、ライセンスナンバ、ドライバ名、運送会社名、運転免許の種類、運転免許証５１の有効期限、および交通事故または違反による点数）の入力を受け付けて、ステップＳ３に進む。なお、運転免許証に記載の情報については、オペレータが入力する代わりに、文字認識処理（OCR: Optical Character Recognition）を用いて、自動で読み取るようにしてもよい。
【０１７６】
ステップＳ３において、端末装置１０１は、ドライバ情報、即ち、ステップＳ１で検出した指紋情報およびステップＳ２で入力された免許証情報を、リーダライタ１０３に送信して、ステップＳ４に進む。
【０１７７】
ステップＳ４において、リーダライタ１０３は、端末装置１０１から送信されてくるドライバ情報を受信して、ステップＳ５に進む。
【０１７８】
ステップＳ５において、リーダライタ１０３は、端末装置１０１から受信したドライバ情報を、RFタグ４２に送信して、ステップＳ６に進む。
【０１７９】
ステップＳ６において、RFタグ４２は、リーダライタ１０３から送信されてくるドライバ情報を受信し、EEPROM２４４に記憶して、処理を終了する。
【０１８０】
以上のドライバ登録処理後、ドライバ情報が記憶されたRFタグ４２が貼り付けられている免許証入れ４１に、ドライバの運転免許証５１が収納されて、密封される。
【０１８１】
次に、図１５のフローチャートを参照して、会社XYZにおける、ドライバの運行管理処理について説明する。
【０１８２】
デポXに到着したドライバは、運転免許証５１が収納された免許証入れ４１をリーダライタ３０２（図８）のアンテナにかざすか、または、アンテナが埋め込まれたゲートを通り抜ける。すると、ステップＳ３１において、リーダライタ３０２は、免許証入れ４１に貼り付けられているRFタグ４２からドライバ情報を読み込む（受信する）。そして、リーダライタ３０２は、読み込んだドライバ情報を端末装置３０１に送信して、ステップＳ３２に進む。
【０１８３】
ステップＳ３２において、端末装置３０１は、指紋センサ１３１により、ドライバ本人であるかどうかを認識するための、ドライバの指紋情報を検出して、ステップＳ３３に進む。
【０１８４】
ステップＳ３３において、端末装置３０１は、ステップＳ３２での、ドライバからの指紋情報の検出結果と、ステップＳ３１でRFタグ４２から受信したドライバ情報のなかの指紋情報とが一致するかどうかを判定する。ステップＳ３３で、ドライバからの指紋情報の検出結果と、RFタグ４２から受信した指紋情報とが一致しないと判定された場合、ステップＳ３４に進み、端末装置３０１は、指紋認証が不適合であった旨を報知する警報情報を、ディスプレイやスピーカに出力する。端末装置３０１のディスプレイやスピーカは、警報情報を基に、その旨を画像や音声で出力し、処理を終了する。
【０１８５】
一方、ステップＳ３３で、ドライバからの指紋情報の検出結果と、RFタグ４２から受信した指紋情報とが一致すると判定された場合、即ち、ドライバが免許証入れ４１に収納された運転免許証５１の所有者本人であることを確認することができた場合、ステップＳ３５に進み、端末装置３０１は、運転免許証５１の所有者本人であることが確認されたドライバが、デポサーバ３０４の免許ＤＢ３２１に登録済みであるかどうかを判定する。
【０１８６】
ステップＳ３５において、ドライバがデポサーバ３０４の免許ＤＢ３２１に登録済みではないと判定された場合、ステップＳ３６に進み、端末装置３０１は、ステップＳ３１でRFタグ４２から受信したドライバ情報をデポサーバ３０４に送信する。そして、デポサーバ３０４は、端末装置３０１から送信されてきたドライバ情報を、免許DB３２１に登録する。
【０１８７】
ステップＳ３５で、ドライバがデポサーバ３０４の免許ＤＢ３２１に登録済みであると判定された場合（ドライバのドライバ情報が免許DB３２１に登録されている場合）、または、ステップＳ３６の処理の後、ステップＳ３７に進み、端末装置３０１は、現在の日付が、免許証入れ４１に収納された運転免許証５１の所有者であるドライバのドライバ情報における運転免許証５１の有効期限を超過しているかどうかを判定する。
【０１８８】
ステップＳ３７において、現在の日付がドライバ情報のなかの運転免許証５１の有効期限を超過していると判定された場合、ステップＳ３８に進み、端末装置３０１は、運転免許証５１の有効期限を超過している旨を報知する警報情報を、ディスプレイやスピーカに出力する。端末装置３０１のディスプレイやスピーカは、その警報情報を基に、その旨を画像や音声で出力し、ステップＳ３９に進む。
【０１８９】
ステップＳ３９において、端末装置３０１は、ドライバの運転免許証５１が有効期限を超過している旨の情報をデポサーバ３０４に送信し、デポサーバ３０４は、その情報を受信して、免許ＤＢ３２１（図１３）を更新する。これにより、例えば、運送会社Aの配送業務を管理している会社XYZ（デポX）の管理者は、運送会社Aのドライバのなかに運転免許証５１の有効期限を超過しているドライバがいることを把握することができ、運送会社Aに対して、ドライバの違法な行為に対する指導をすることができる。そして、ステップＳ４３に進む。
【０１９０】
一方、ステップＳ３７において、現在の日付がドライバ情報のなかの運転免許証５１の有効期限を超過していないと判定された場合、ステップＳ４０に進み、端末装置３０１は、ドライバ情報のなかの、ドライバの交通事故または違反による点数が、所定の基準以上であるかどうかを判定する。ここで、所定の基準とは、運転免許の所持者が、運転免許の一時停止または取り消しの行政処分を受けない範囲の基準点数のことを意味する。例えば、行政処分の前歴がないドライバの場合、運転免許の一時停止または取り消しの行政処分を受ける最低の点数は６点であり、よって、このドライバの所定の基準は６点となる。
【０１９１】
ステップＳ４０において、ドライバの交通事故または違反による点数が、所定の基準以上であると判定された場合、ステップＳ３８に進み、端末装置３０１は、上述した運転免許証５１の有効期限を超過している旨の警報情報に代えて、ドライバの交通事故または違反による点数が所定の基準以上である旨の警報情報を、ディスプレイやスピーカに出力する。端末装置３０１のディスプレイやスピーカは、その警報情報を基に、その旨を画像や音声で出力し、ステップＳ３９に進む。
【０１９２】
ステップＳ３９において、端末装置３０１は、ドライバの交通事故または違反による点数が、所定の基準以上である旨の情報を、デポサーバ３０４に送信し、デポサーバ３０４は、その情報を受信して、免許ＤＢ３２１を更新する。そして、ステップＳ４３に進む。
【０１９３】
一方、ステップＳ４０において、ドライバの交通事故または違反による点数が、所定の基準未満であると判定された場合、ステップＳ４１に進み、端末装置３０１は、現在時刻を、ドライバの到着時刻とするドライバの運行情報をデポサーバ３０４に送信する。デポサーバ３０４は、端末装置３０１からの運行情報を受信して、運行ＤＢ３２２に登録する。ここで、このドライバのレコードの出発時刻は、まだ空（空欄）のままである。
【０１９４】
そして、ドライバが、荷物のトラックへの積み込み等を終了し、デポXを出発するとき、再度、運転免許証５１が収納された免許証入れ４１をリーダライタ３０２のアンテナにかざすか、または、アンテナが埋め込まれたゲートを通り抜ける。このとき、リーダライタ３０２は、免許証入れ４１のRFタグ４２からドライバ情報を再度読み込んで、端末装置３０１に送信する。端末装置３０１は、リーダライタ３０２からドライバ情報を受信し、ドライバ（どのドライバであるか）を確認し、現在時刻を、そのドライバの出発時刻としてドライバの運行情報に加えて（更新して）、ドライバの運行情報をデポサーバ３０４に送信する。デポサーバ３０４は、端末装置３０１からの運行情報を受信して、運行ＤＢ３２２（図１３）に登録（更新）して、ステップＳ４３に進む。
【０１９５】
ステップＳ４３において、デポサーバ３０４は、免許ＤＢ３２１および運行ＤＢ３２２に記憶されているドライバ情報および運行情報（のデータ）それぞれを、LAN３０３およびネットワーク２４を介して、統合サーバ２５に送信する。統合サーバ２５では、デポサーバ３０４から送信されてくるドライバ情報と運行情報（のデータ）を、それぞれ、免許DB６３１と運行DB６３２に記憶させ、処理を終了する。
【０１９６】
なお、デポサーバ３０４は、統合サーバ２５へのドライバ情報および運行情報の送信において、免許ＤＢ３２１および運行ＤＢ３２２に記憶されているドライバ情報および運行情報のデータ全てを毎回送信するようにしてもよいし、更新されたデータのみを送信するようにしてもよい。
【０１９７】
以上のように、ドライバが、デポXに到着したとき、またはデポXから出発するときには、そのドライバのドライバ情報が、RFタグ４２からリーダライタ３０２に必ず送信されることになる。運転免許証５１は、上述したように、RFタグ４２が貼り付けられている免許証入れ４１に密封されているので、リーダライタ３０２にドライバ情報が送信されたことは、ドライバが運転免許証５１を携帯していることを表す。従って、会社XYZでは、ドライバが運転免許証５１を携帯しているかどうかを確認することができる。
【０１９８】
また、指紋認証によりドライバ本人であるかどうかを確認するので、ドライバのなりすましを防止することができる。
【０１９９】
さらに、現在の日付がドライバの運転免許証５１の有効期限を超過している場合や、ドライバの交通事故または違反による点数が所定の基準以上である場合も確認することができるので、会社XYZでは、ドライバの違法な行為を事前に防止し、管理することができる。
【０２００】
即ち、ドライバの質を管理することができる。
【０２０１】
なお、運行DB３２２または３３２には、各ドライバの出発時刻および到着時刻も記憶されているので、例えば、配送に掛かった時間等（デポXを出発してから次に到着する時間まで）を集計し、ドライバの労働時間や、配送先件数との関係を考慮した、ドライバのスキルの管理を行うようにすることもできる。
【０２０２】
次に、図１６のフローチャートを参照して、デポＸのデポサーバ３０４からの指令により、ドライバが携帯している運転免許証５１をオペレータに確認させるドライバ確認処理について説明する。このドライバ確認処理は、ドライバごとに、ドライバ情報を受信した回数が所定の回数に達したときや、１ヶ月などの一定期間ごとに、あるいは、ランダムに、（抜き打ち的に）行うようにすることができる。
【０２０３】
初めに、ステップＳ６１において、デポサーバ３０４は、運転免許証５１の提示を要求する旨の情報である運転免許証提示要求情報をLAN３０３を介して、端末装置３０１に送信して、ステップＳ６２に進む。
【０２０４】
ステップＳ６２において、端末装置３０１は、デポサーバ３０４からの運転免許証提示要求情報を受信すると、デポXに配送業務にやってきて、指紋認証を行ったドライバに対して、運転免許証５１の提示の要求を、ディスプレイやスピーカから出力する。即ち、端末装置３０１は、運転免許証５１の提示を求める旨の画像や音声をディスプレイまたはスピーカに出力して、処理を終了する。
【０２０５】
これにより、ドライバに運転免許証５１を提示させ、端末装置３０１にいるオペレータが、ドライバが提示した運転免許証５１を目視確認し、運転免許証５１に記載されている情報と、免許DB３２１に記憶（登録）されている情報との間に相違がないかどうかを確認することができる。また、ドライバのなりすましを防止することができる。
【０２０６】
なお、デポサーバ３０４の代わりに、統合サーバ２５から運転免許証提示要求情報を端末装置３０１に送信するようにしてもよい。
【０２０７】
次に、図１７は、本発明を適用したドライバ管理システムの他の実施の形態の構成例を示している。なお、図１と対応する部分については、同一の符号を付してあり、その説明を省略する。
【０２０８】
図１７では、会社XYZ、運送会社A、運送会社B、および運送会社Cは、それぞれ、図１で説明したものと同様の構成を有していることに加えて、情報入力システム３１、３２および３３が、ネットワーク２４に接続されている。
【０２０９】
これにより、例えば、情報入力システム３１において、図１４で説明したドライバ登録処理が行われた場合、情報入力システム３１は、そのドライバのドライバ情報を、ネットワーク２４を介して、管理システム２１，２２，２３、および統合サーバ２５に送信することができる。
【０２１０】
この場合、運送会社Aのドライバ情報を会社XYZ（の免許DB３２１および３３１など）においても共有することになるので、ドライバのRFタグ４２には、図１２で示す、ライセンスナンバ、ドライバ名、運送会社名、運転免許の種類、運転免許証５１の有効期限、交通事故または違反による点数、および指紋情報のファイル名のうちの、ライセンスナンバだけを記憶するようにすることができる。従って、RFタグ４２に記憶させる情報の情報量が少なくて済むので、RFタグ４２のEEPROM２４４の記憶容量を少なくすることができる。
【０２１１】
また、運送会社A、運送会社B、および運送会社Cのドライバのドライバ情報の登録（RFタグ４２への記憶）を、会社XYZのデポX乃至Zの管理システム２１乃至２３のいずれかで行わせるようにしてもよい。その場合、運送会社A乃至Cの情報入力システム３１乃至３３それぞれを省略することができる。
【０２１２】
図１８は、図１の免許証入れ４１の他の構成例を示す裏面図である。なお、図３と対応する部分については、同一の符号を付してあり、その説明を省略する。
【０２１３】
図３では、アンテナ９１とICチップモジュール９２は、免許証入れ４１の裏面の（右側の）一部に偏って貼り付けられている。この場合、ドライバが、アンテナ９１を分断させずに運転免許証５１を開封しようとして、アンテナ９１とICチップモジュール９２が貼り付けられている場所以外の場所（例えば、図３の左側の一辺）を、意図的に開封するおそれがある。
【０２１４】
そのような開封を防止するために、図１８に示す免許証入れ４１は、アンテナ９１が、略長方形の免許証入れ４１の四辺を通るように、かつ免許証入れ４１の表面（図示せず）と裏面の両面にわたって貼り付けられている。
【０２１５】
これにより、運転免許証５１を免許証入れ４１を開封して取り出すためには、切り取り線９３に従って開封しない場合であっても、必ずアンテナ９１の一部が分断されるようにすることができる。
【０２１６】
図１９Ａ乃至図１９Ｃは、図１の免許証入れ４１のさらにその他の構成例を示す図である。なお、図３と対応する部分については、同一の符号を付してあり、その説明を省略する。また、図１９では、運転免許証５１およびICチップモジュール９２の図示は、省略されている。
【０２１７】
図１９Ａは、運転免許証５１を密封する前の免許証入れ４１を示している。
【０２１８】
免許証入れ４１は、図１９Ａに示すように、運転免許証５１を収納する袋状の収納部７０１（斜線で示される部分）と、収納部７０１の両側に接続されている封止部７０２および７０３とから構成されている。
【０２１９】
運転免許証５１は、長方形状の収納部７０１に収納される。即ち、収納部７０１の所定の一辺が開口しており、その開口している部分から運転免許証５１が収納される。
【０２２０】
そして、運転免許証５１が、次のようにして密封される。
【０２２１】
運転免許証５１が収納部７０１に収納された後、折り目線Ｐ１およびＰ２に沿って、封止部７０２および７０３のそれぞれが、図１９Ｂに示すように、（図面手前方向に）谷折りにされる。
【０２２２】
さらに、折り目線Ｑ１およびＱ２に沿って、封止部７０２および７０３のそれぞれが、図１９Ｃに示すように、（図面奥方向に）山折りにされる。
【０２２３】
そして、免許証入れ４１の、折り重ねられて、互いに接する面は、接着剤などで容易にはがれないように接着される。
【０２２４】
これにより、運転免許証５１を免許証入れ４１を開封して取り出すためには、切り取り線９３に従って開封しない場合であっても、必ずアンテナ９１の一部が分断されるようにすることができる。
【０２２５】
また、アンテナ９１は、透明な金属の材料を用いるようにすれば、美観を損ねず、かつ、ドライバに、どこにアンテナ９１が配置されているのかを分からなくさせることができる。
【０２２６】
なお、アンテナ９１の配置（配線）と運転免許証５１の密封の方法は、図３や図１８に示す配置と密封の方法に限定されるものではない。
【０２２７】
また、上述した例では、RFタグ４２は、免許証入れ４１に貼り付けられているものとしたが、RFタグ４２は、その他、例えば、免許証入れ４１に埋め込まれるようにしてもよい。
【０２２８】
なお、本明細書において、フローチャートに記述されたステップは、記載された順序に沿って時系列的に行われる処理はもちろん、必ずしも時系列的に処理されなくとも、並列的あるいは個別に実行される処理をも含むものである。
【０２２９】
また、本明細書において、システムとは、複数の装置により構成される装置全体を表すものである。
【図面の簡単な説明】
【０２３０】
【図１】本発明を適用したドライバ管理システムの一実施の形態の構成例を示すブロック図である。
【図２】図１のドライバの運転免許証５１が収納された免許証入れ４１の表面の外観図（概略）を示す図である。
【図３】図２の反対面となる、免許証入れ４１の裏面の外観図（概略）を示す図である。
【図４】図１の運送会社Aの情報入力システム３１の構成例を示すブロック図である。
【図５】図４の端末装置１０１の詳細な構成例を示すブロック図である。
【図６】図４のリーダライタ１０３の構成例を示すブロック図である。
【図７】図４のRFタグ４２の構成例を示すブロック図である。
【図８】図１に示したデポXの管理システム２１の詳細な構成例を示すブロック図である。
【図９】図８の端末装置３０１の詳細な構成例を示すブロック図である。
【図１０】図８のデポサーバ３０４の詳細な構成例を示すブロック図である。
【図１１】図１の統合サーバ２５の詳細な構成例を示すブロック図である。
【図１２】デポサーバ３０４の免許DB３２１に記憶されているドライバ情報の例を示す図である。
【図１３】デポサーバ３０４の運行DB３２２に記憶されているデポXの運行情報の例を示す図である。
【図１４】ドライバ登録処理を説明するフローチャートである。
【図１５】会社XYZにおける、ドライバの運行管理処理を説明するフローチャートである。
【図１６】ドライバ確認処理を説明するフローチャートである。
【図１７】本発明を適用したドライバ管理システムの他の実施の形態の構成例を示すブロック図である。
【図１８】図１の免許証入れ４１の他の構成例を示す裏面図である。
【図１９】図１の免許証入れ４１のさらにその他の構成例を示す図である。
【符号の説明】
【０２３１】
２１乃至２３    管理システム
２４    ネットワーク
２５    統合サーバ
３１乃至３３    情報入力システム
４１    免許証入れ
４２    RFタグ
５１    運転免許証
８１    透明部分
８２    不透明部分
９１    アンテナ
９２    ICチップモジュール
９３    切り取り線
１０１    端末装置
１０３    リーダライタ
１３１    指紋センサ
３０１    端末装置
３０２    リーダライタ
３０４    デポサーバ
３２１    免許DB
３２２    運行DB
３３１    免許DB
３３２    運行DB
【図１】
2005242858.tif 000003
【図２】
2005242858.tif 000004
【図３】
2005242858.tif 000005
【図４】
2005242858.tif 000006
【図５】
2005242858.tif 000007
【図６】
2005242858.tif 000008
【図７】
2005242858.tif 000009
【図８】
2005242858.tif 000010
【図９】
2005242858.tif 000011
【図１０】
2005242858.tif 000012
【図１１】
2005242858.tif 000013
【図１２】
2005242858.tif 000014
【図１３】
2005242858.tif 000015
【図１４】
2005242858.tif 000016
【図１５】
2005242858.tif 000017
【図１６】
2005242858.tif 000018
【図１７】
2005242858.tif 000019
【図１８】
2005242858.tif 000020
【図１９】
2005242858.tif 000021